(57)【特許請求の範囲】
【請求項１】
ｅペーパーと、ドライバと、機械的ドライバとを備えるｅペーパーシステムにおいて、
前記ｅペーパーは、
独立して、電荷を受け取る、電荷を保持する、かつ電荷を取り除かれるように構成された複数の電極領域を有し、前記複数の電極領域のうちの１つまたは複数の電極へ電荷を移動する、かつ／または前記１つまたは複数の電極から電荷を取り除くことによってｅペーパーの出力状態を制御し、
前記ドライバは、
コントロールユニットと、
プリント回路基板と、
前記プリント回路基板上に配置され、前記コントロールユニットが選択的に、かつ独立して複数のドライバ接点の各ドライバ接点を帯電させるように構成される、複数のドライバ接点と、
複数の導電要素を有する接触要素と
を備え、
前記機械的ドライバは、
前記ｅペーパーに対して前記ドライバを第１の方向へ摺動させるように構成される機械的ドライバであって、前記ｅペーパーに対して摺動し、前記複数の導電要素が、前記ｅペーパーの前記複数の電極領域に対して変更可能に配置されて、前記第１の方向に対して前記ｅペーパーに沿う直線位置に基づいて、電荷を前記複数の導電要素の前記導電要素の１または複数から前記ｅペーパーの前記複数の電極領域の前記電極領域の１つまたは複数へ移動する、ｅペーパーシステム。
【請求項２】
前記接触要素が回転要素を備え、前記回転要素が前記複数の導電要素を備え、前記ドライバが前記ｅペーパーに対して摺動するとき、前記回転要素が回転し、前記回転要素が回転すると、前記複数の導電要素が、前記ｅペーパーの前記複数の電極領域に対して変更可能に配置されて、前記回転要素の回転位置および前記第１の方向に関する前記ｅペーパーに沿う直線位置に基づいて、電荷を前記ｅペーパーの前記複数の電極領域の前記電極領域のうちの１つまたは複数へ移動し、
第１の回転位置および第１の直線位置において、前記回転要素の前記複数の導電要素のうちの前記導電要素の第１のサブセットが、前記複数のドライバ接点のうちのドライバ接点の第１のサブセットを、前記複数の電極領域のうちの電極領域の第１のサブセットと電気的に接続し、第２の回転位置および第２の直線位置において、前記回転要素の前記複数の導電要素のうちの前記導電要素の第２のサブセットが、前記複数のドライバ接点のうちのドライバ接点の第２のサブセットを、前記複数の電極領域のうちの電極領域の第２のサブセットと電気的に接続する、請求項１に記載のシステム。
【請求項３】
最初に、前記回転要素の前記複数の導電要素が帯電され、次いで、前記回転要素が回転すると、前記回転要素が前記ｅペーパーの前記複数の電極領域を帯電させる、請求項２に記載のシステム。
【請求項４】
前記回転要素が、フィルムを有するシリンダを備え、前記フィルムが前記シリンダの表面を取り囲む連続した導電領域と非導電領域を有する、請求項２に記載のシステム。
【請求項５】
前記回転要素が、連続した導電層と非導電層を有するシリンダを備える、請求項２に記載のシステム。
【請求項６】
前記シリンダの表面が、導電領域と非導電領域のパターンを有する、請求項４に記載のシステム。
【請求項７】
前記シリンダの表面が、間隔を置いて配置される導電要素のみを有する、請求項６に記載のシステム。
【請求項８】
前記回転要素が導電ビーズを備え、前記導電ビーズが、その間にはさまれた非導電要素と一緒に並べられた、請求項２に記載のシステム。
【請求項９】
前記ドライバが前記ｅペーパーに対して摺動すると、前記複数の電極領域から電荷を取り除くワイパをさらに備える請求項１に記載のシステム。
【請求項１０】
前記ドライバが、前記ドライバの第１の部分と前記ドライバの第２の部分との間にある前記ｅペーパーを保持し、前記ドライバの前記第１の部分が、前記ｅペーパーの第１の側に配置され、前記複数の電極領域が前記ｅペーパーの前記第１の側にあり、前記ドライバの前記第２の部分が、前記ｅペーパーの第２の側に配置され、前記ドライバの前記第２の部分が前記ｅペーパーの前記第２の側に圧力をかけて、前記ドライバの前記第１の部分と前記ｅペーパーの前記第１の側との間の接触を確実にする、請求項１に記載のシステム。
【請求項１１】
前記ドライバの前記第１の部分が、前記複数のドライバ接点と前記複数の電極領域を接続する前記複数の導電要素を有する、請求項１０に記載のシステム。
【請求項１２】
前記ドライバの前記第１の部分と前記ドライバの前記第２の部分が前記ｅペーパーを取り囲む、請求項１０に記載のシステム。
【請求項１３】
前記ワイパが導電性であり、前記ドライバに移動可能に取り付けられ、前記ワイパが前記ｅペーパーに接触すると、前記ワイパが前記ｅペーパーの画像を消去する、請求項９に記載のシステム。
【請求項１４】
前記ｅペーパーが可撓性である、請求項１に記載のシステム。
【請求項１５】
前記システムが、棚の縁に取り付けられるように構成され、前記ドライバが前記棚の前記縁に対して静止しており、前記ｅペーパーが、前記棚の前記縁に沿って前記ｅペーパーの長さにわたって動く、請求項１に記載のシステム。
【請求項１６】
請求項１に記載のｅペーパーシステムを備える、ｅペーパーディスプレイ。
【請求項１７】
前記ｅペーパーが棚の縁に対して静止し、前記ドライバが前記棚の前記縁に沿って前記ｅペーパーの長さにわたって動くように、前記ｅペーパーディスプレイが前記棚の前記縁に取り付けられるように構成される、請求項１６に記載のｅペーパーディスプレイ。
【請求項１８】
請求項１６に記載の１つまたは複数のｅペーパーディスプレイと、通信モジュールと、コマンドモジュールとを備える、情報を表示するためのシステムにおいて、
前記１つまたは複数のｅペーパーディスプレイのそれぞれがｅペーパーとドライバを備え、前記ドライバが１つまたは複数の一緒に整列したｅペーパーに書き込むように構成され、
前記通信モジュールは、前記ドライバに、前記ｅペーパーに書き込む内容に関する第１の信号を送るように構成され、
前記コマンドモジュールは、前記通信モジュールに第２の信号を送り、前記ドライバが前記ｅペーパーに書き込むために１つまたは複数の最新情報を、前記第２の信号が与えるように構成されている、情報を表示するためのシステム。
【請求項１９】
電源をさらに備える、請求項１８に記載のシステム。
【請求項２０】
電力がドライバの動きから回収される、請求項１８に記載のシステム。
【請求項２１】
電力が周囲の光から回収される、請求項１８に記載のシステム。
【請求項２２】
前記電源が前記ドライバの外側にあり、前記ｅペーパーが接点を有して前記ドライバと前記電源を接続する、請求項１９に記載のシステム。
【請求項２３】
前記ｅペーパーとドライバが互いに対して滑るように、前記ドライバが前記ｅペーパーと摺動可能に相互接続され、前記ｅペーパーとドライバが互いに対して滑るとき、前記ドライバが前記ｅペーパーに書き込み、前記ドライバの第１の部分が前記ｅペーパーの第１の側に配置され、前記ドライバの第２の部分が前記ｅペーパーの第２の側に配置され、前記第２の側が前記第１の側の反対側にある、請求項１８に記載のシステム。
【請求項２４】
前記１つまたは複数のｅペーパーディスプレイが複数のｅペーパーディスプレイを備える、請求項１８に記載のシステム。
【請求項２５】
前記接触要素が回転要素を備え、前記回転要素が前記複数の導電要素を備え、前記ドライバが前記ｅペーパーに対して摺動するとき、前記回転要素が回転し、前記回転要素が回転すると、前記複数の導電要素が、前記ｅペーパーの前記複数の電極領域に対して変更可能に配置されて、前記回転要素の回転位置および前記第１の方向に関する前記ｅペーパーに沿う直線位置に基づいて、電荷を前記ｅペーパーの前記複数の電極領域の前記電極領域のうちの１つまたは複数へ移動する、請求項１８に記載のシステム。
【請求項２６】
前記ｅペーパーディスプレイが棚の縁に取り付けられるように構成され、前記ｅペーパーが前記棚の前記縁に対して静止しており、前記ドライバが、前記棚の前記縁に沿って前記ｅペーパーの長さにわたって動く、請求項１８に記載のシステム。
【請求項２７】
前記複数のドライバ接点が薄膜トランジスタのアレイを備える、請求項２に記載のシス
テム。
【発明の詳細な説明】
【技術分野】
【０００１】
＜関連出願への相互参照＞
本出願は、２０１３年３月１５日出願の米国仮出願第６１／７８９，３７３号の利益を主張し、すべての図、表、または図面を含むその内容全体を本願明細書に援用する。
【背景技術】
【０００２】
電子ペーパー（ｅペーパー）または電子インクは、人気を得ている表示技術である。光を発する従来のバックライト付き平面パネルディスプレイとは異なり、ｅペーパーディスプレイは普通の紙のように光を反射するので、より楽に読める。ｅペーパーの表面はまた、従来のバックライト付きのディスプレイよりも広い視野角を有することができる。
【０００３】
多くのｅペーパー技術は、電力を連続して使用しないで、静止文字および画像を無期限に保持することができる。ｅペーパーの前面板は、帯電した顔料を保持するために使用され、通常、印加電界に基づいて動く微小なカプセルまたは物理的粒子を組み入れる材料またはフィルムである。背面板は、通常、薄膜トランジスタ（ＴＦＴ）で作られ、薄膜トランジスタはその上に生成された電界によって前面板を駆動して顔料を引き付けたり離したりする。コントローラなどの補助プラットフォーム技術は、生成が必要な画像に基づいて、必要な電位差および電流を供給するように背面板を駆動する。
【０００４】
電気泳動の前面板を有するディスプレイは、印加電界を使用して帯電した顔料粒子を再配置することによって可視画像を形成する。電気泳動ディスプレイの特定の例では、炭化水素のオイルの中に分散させた直径約１マイクロメートルの二酸化チタン（チタニア）粒子を組み入れている。暗色の染料もまた、界面活性剤、および粒子を帯電させる帯電剤とともにオイルに加えられる。この混合物は、１０から１００マイクロメートルの間隙で離された平行な２枚の導電板の間に配置される。電圧が２枚の板の間に印加されると、粒子は、粒子の電荷とは逆の電荷がかかった板へ電気泳動的に移動する。粒子がディスプレイの前面（見る）側にあるとき、光は高散乱度のチタニア粒子によって散乱して、見る側に戻るので、白く見える。粒子がディスプレイの後側にあるとき、入射光は色の付いた染料によって吸収されるので、黒く見える。後ろの電極を多くの小さな画素（ピクセル）に分割すれば、ディスプレイの各領域に適切な電圧を印加して反射および吸収する領域のパターンを生成することによって画像を形成することができる。
【０００５】
これらの帯電した粒子は、微小なマイクロカプセル内の色の付いたオイルの中を浮遊している。各マイクロカプセルは、粘性流体内を浮遊する正に帯電した白い粒子および負に帯電した黒い粒子を含んでいる。マイクロカプセルの代わりに、ＳｉＰｉｘのｅペーパーフィルムなどのマイクロカップもまた使用することができる。
【０００６】
２色前面板では、異なる色の半球を２つ有する微小なプラスチックビーズがオイルのポケット内でカプセル化されている。負に帯電した半球が正に帯電した電極に面し、逆もまた同様であるように、正または負に帯電した半球がｅペーパーに印加された電界に基づいてプラスチックビーズ内を自由に回転する。ｅインクは、バックライト技術のようにリフレッシュする必要がないので、画像は、次の帯電まで定位置に留まる。このように、ディスプレイの電力はゼロまで落とすことができ、常時リフレッシュが必要なディスプレイよりも使用する電力は全体的に少ない。
【０００７】
ｅペーパーディスプレイは、背面板にアクティブマトリックス、セグメント、および／またはパッシブマトリックス技術を組み入れることができる。アクティブマトリックスディスプレイは、典型的には背面板を組み入れて、大きなアレイのピクセルを有することができ、ピクセルのそれぞれが薄膜トランジスタ（ＴＦＴ）アレイによって制御される。市販の電気泳動ディスプレイの例としては、ＡｍａｚｏｎのＫｉｎｄｌｅ  ｅ−ｒｅａｄｅｒで使用されている高解像度アクティブマトリックスディスプレイがある。このディスプレイは、Ｅ  Ｉｎｋ  Ｃｏｒｐｏｒａｔｉｏｎ製の電気泳動画像フィルムから構成される。ガラスは、ディスプレイ製造プロセスで必要な高温に耐えることができるので、これらの薄膜トランジスタを埋め込むために使用される普通の基板である。製作時での低温を利用する有機薄膜トランジスタ（ＯＴＦＴ）の最近の開発により、プラスチック基板を背面板に使用することができる。裏面にプラスチック基板を使用すると、ｅペーパーディスプレイの可撓性および耐久性が向上し、その結果、プラスチック基板およびプラスチック電子回路をディスプレイの背面板に使用して、可撓性のｅペーパーを製造することができる。
【０００８】
小売店では、通常、商品を棚に置き、棚の縁に棚札を置いて、棚の上の商品に関する情報を潜在的購入者に提供する。小売店は、棚の縁に置く値札に表示する情報を自動的に変更する技術を求めている。電子棚札（ＥＳＬ）技術によって、小売店は商品の価格を、人が介在して、または介在しないで、遠隔で変更することができる。しかしながら、すべての個々の商品の札をＥＳＬにすることは、高コストのため、実際的でない場合が多い。Ｆｏｏｄ  Ｍａｒｋｅｔｉｎｇ  Ｉｎｓｔｉｔｕｔｅによれば、典型的な食料品店では、ある一定時間に３８，７１８個の異なる品が陳列されており、これは、典型的な食料品店が各商品にＥＳＬを付けるためには、１店舗当たり数千のＥＳＬが必要となることを意味する。個々のＥＳＬが高価格であることを考えると、ＥＳＬ技術は、小売店には、特に低価格の商品には好まれない。
【発明の概要】
【発明が解決しようとする課題】
【０００９】
したがって、小売店が棚の縁に情報を表示でき、また任意に、自動的にこのような情報を更新できる、低コスト、低電力消費、および持続的な解決策が提供されることが望ましい。
【課題を解決するための手段】
【００１０】
本発明の実施形態は、情報を電気的に表示するための方法および装置に関する。特定の実施形態は、小売環境において棚の縁に情報を表示することに関する。実施形態は、ｅペーパー技術および無線通信を利用して、小売店が棚の縁に情報を表示して、かつ任意に、自動的に更新できる、低コスト、低電力消費、および持続的な解決策を提供することができる。特定の実施形態は、ガラスの背面板なしのｅペーパーディスプレイに関する。さらなる特定の実施形態は、１つまたは複数のｅペーパーを駆動することができる別個の駆動機構を組み込む可撓性のｅペーパーディスプレイに関する。
【図面の簡単な説明】
【００１１】
【図１】ｅペーパーフィルムおよびｅペーパーの層の例の図である。
【図２】ｅペーパーに書き込んでいるときのローラ接触要素をｅペーパーとともに示した図である。
【図３】米国特許第６，２２２，５１３号に記載された電荷保持アイランドの図である。
【図４】米国特許第６，２２２，５１３号に記載された代替の電荷保持アイランドの図である。
【図５】本発明の実施形態による４８インチ×１．７５インチのｅペーパーディスプレイ、およびその一部を拡大した図である。
【図６】棚取付具／ディスプレイ保持具、ｅペーパーディスプレイ、およびドライバの配置を示す図である。
【図７】ドライバがｅペーパーを取り囲み、ドライバに取り付けられた車輪によって、ドライバがｅペーパーを端から端まで動かすことができる、かつ／またはドライバがｅペーパーに沿って動くことできる態様を示す、本発明の実施形態の２つの図である。
【図８】ドライバに取り付けられたワイパがドライバのフロントパネルを支持して一体化することができる態様を示す図である。
【図９】電荷をｅペーパーに移動する導電要素が、異なった導電／非導電パターンを有する円筒状要素を有するローラである、本発明の２つの実施形態の図である。
【図１０】電荷をｅペーパーに移動する導電要素が、導電ビーズと、導電ビーズ間に非導電領域とを有するローラである、本発明の２つの実施形態の図である。
【図１１】前面板に埋め込まれた２つの導電板、およびディスプレイの一方の側に配置された電源の位置を示す図である。
【図１２】ホルダを支持して、ドライバが表面上を滑るのをより容易にする、薄いプラスチック層を上に有する発泡体の図である。
【図１３】ドライバが動くときに、ドライバが発泡体を押し戻し、空洞を生成して動きやすくなる様子を示す図である。
【図１４】ディスプレイを衝突および環境からの損傷に対して安全を保つための保護バリアを上に有するｅペーパーディスプレイの図である。
【図１５】ｅペーパーとともにドライバを保護する囲いを有するディスプレイの図である。
【図１６】プリント回路基板へのドライバの接続、およびコントロールユニット（図示せず）によって帯電することができる導電部を示す図である。
【図１７】ホルダおよびコネクタを使用した、円筒状要素のプリント回路基板との異なる接続方法を示す図である。
【図１８】本発明の実施形態とともに組み入れることができる、米国特許出願公開第２０１３０１６２５１１号に記載されたｅペーパーディスプレイの行列電極の平面図である。
【図１９】ローラ要素の別の実施形態の図である。
【発明を実施するための形態】
【００１２】
本発明の実施形態は、情報を電気的に表示するための方法および装置に関する。特定の実施形態は、小売環境において棚の縁に情報を表示することに関する。実施形態は、ｅペーパー技術および無線通信を利用して、小売店が棚の縁に情報を表示して、かつ自動的に更新できる、低コスト、低電力消費、および持続的な解決策を提供することができる。特定の実施形態は、トランジスタの付いた背面板なしのｅペーパーディスプレイに関する。さらなる特定の実施形態は、１つまたは複数のｅペーパーを駆動することができる別個の駆動機構を組み込む可撓性のｅペーパーディスプレイに関する。
【００１３】
実施形態は電子表示システムを対象とする。さらなる実施形態はまた、電子ディスプレイに使用することができるｅペーパーのドライバを対象とする。さらなる実施形態は、アクティブマトリックス背面板を使用せず、任意には可撓性のｅペーパーに関する。特定の実施形態は、棚の縁全体をｅペーパーディスプレイで覆うことができ、従来の値札または棚札が各商品に対して示す情報のすべてを示すことができ、かつ従来の棚札が配置される場所の間の空間に追加の情報を表示することができる。典型的な棚の縁の半分以上は空または空白であるので、実施形態は、棚の縁を情報または販売ディスプレイとして機能させることができ、これによって、顧客がより多くの買い物をして、小売店に追加の収益をもたらすことができる。
【００１４】
本ｅペーパーディスプレイの様々な実施形態は、表示目的に対して必要な幅と長さを有することができる。棚の縁のための特定の実施形態は、長さが４フィートであり、幅は少なくとも０．５インチとすることができるが、広告ディスプレイのための実施形態は、長さを６フィート、幅を３フィートとすることができる。さらなる特定の実施形態は、長さが少なくとも１フィート、少なくとも２フィート、少なくとも３フィート、および少なくとも４フィートとすることができ、幅は少なくとも０．５インチ、少なくとも３／４インチ、少なくとも１インチとすることができる。ｅペーパーは読みやすく、ほとんどいかなる角度からも読むことができ、軽量で、耐久性があり、白黒および／またはカラーで利用することができる。
【００１５】
本ディスプレイの様々な実施形態は、ドットマトリックス、セグメント、および／またはパッシブマトリックス技術を使用するｅペーパー、例えば、米国特許出願公開第２０１３／０１６２５１１号に記載されたｅペーパーを組み入れる。本ディスプレイは、商品の価格、様々な画像、動画、および他の情報などの様々な情報を表示することができる。アクティブマトリックスディスプレイは背面板を組み入れて、大きなアレイのピクセルを有することができ、薄膜トランジスタ（ＴＦＴ）アレイによって制御することができる。ガラスは、製造プロセスで必要な高温に耐えることができるという事実などの様々な理由で、これらのトランジスタを埋め込むために使用される普通の基板である。低温を利用する有機薄膜トランジスタ（ＯＴＦＴ）の最近の開発により、プラスチック基板を背面板に使用することができる。プラスチックを使用することによって可撓性と耐久性という利点がもたらされ、これらはｅペーパー技術の重要な特徴である。しかしながら、インクを前面板へ動かす背面板にｅペーパーの前面板を結合するプロセスは、背面板に可撓性材料を使用する場合、複雑になる。ピクセルおよびＴＦＴアレイは常に正確に位置を合わせる必要があるが、可撓性材料では、特に大きなディスプレイに対しては、この位置合わせが困難である。ガラス基板は剛性があって、この位置合わせをより容易にするが、ガラス基板は高価で壊れやすい。
【００１６】
例として図１を参照すると、実施形態は、微小なマイクロカプセル１４内の色の付いたオイル内を浮遊する帯電粒子よりなるピクセルを有することができる。各マイクロカプセル１４は、粘性流体１６内を浮遊する正に帯電した白い粒子１７および負に帯電した黒い粒子１８を含むことができる。電極領域１２に電荷を印加することによって、電圧を電極領域１２から、透明であるのが好ましい電極１０へ印加することができる。
【００１７】
実施形態は、マイクロカプセルまたは出力を表示するための他の構造を組み入れる領域の第１の側の、電極として働く導電層と、マイクロカプセルを組み入れる領域の反対側に、電極として働く複数の導電領域２２とを有する可撓性ディスプレイ５０に関する。特定の実施形態は、いかなるタイプのＴＦＴも有しない背面板を有する。図２は本発明による実施形態の概略を示す。前面板は、ディスプレイ５０に対して滑るｅインクドライバ６０を使用して制御される。１つの実施形態では、ドライバ６０は、印字ヘッドがインクを紙に印刷するのと同様な方法で、ディスプレイに沿って動く。別の実施形態では、ディスプレイ５０はドライバ６０を通り過ぎる。他の実施形態では、ドライバ６０とディスプレイ５０の動きを組み合わせて、ディスプレイ５０のサブセクションを順次書き換えることによって、ドライバがディスプレイ５０を書き換えることができる。このようにディスプレイ５０とドライバ６０を組み合わせると、低コストの解決策が可能となり、プラスチック基板を使用すると耐久性も得られる。
【００１８】
ｅペーパードライバ６０は、有線技術、および／またはＲＦ、ジグビー、および／またはＷｉ−Ｆｉなどの無線技術によって、サーバまたは他の機器と通信することができる。サーバまたは他の機器は、ディスプレイの必要な領域に表示される情報に関して最新のものを提供することができる。電源１００はドライバ６０に配置することができる、ドライバ６０はディスプレイシステムの静止ユニットから電力を引くことができる、かつ／または電力は当該技術で知られる他の技法によってドライバ６０に供給することができる。ある実施形態では、電源１００は、エネルギーハーベスティング装置、交換可能な電池、充電式電池、または電気コンセントとすることができる。
【００１９】
以下は、本発明の実施形態によるドライバ６０を組み入れた、ＰＯＰｅｄｇｅと称する 特定のディスプレイ装置の明細である。
１）ＰＯＰｅｄｇｅは、棚の縁全体を覆って、棚の上、下、または近くの商品に関する、ならびに／あるいは他の商品に関する価格、説明、ブランド、ＩＤ番号（バーコード、ＱＲコード（登録商標）のような）、在庫、場所、賞味期限、および／または販売状況などの情報を示すｅペーパーディスプレイである。
２）ＰＯＰｅｄｇｅは、背面板を必要とせずに、印字ヘッドと同様なｅインクドライバを使用して、前面板上の情報を更新する。
３）店内では、通路は多様なディスプレイを含むことができる。ＰＯＰｅｄｇｅは、ディスプレイ部５０を互いに結合して、１つのドライバ６０が通路全部を更新することができるモジュラーユニットとすることも、各ユニットを独立したディスプレイとして使用することもできる。
４）ドライバ６０は、ドライバ６０の上に通信モジュールおよび電源１００を載せること ができる、またはディスプレイの縁に沿って配置されたステーションがドライバを制御す ることができる。通信モジュールは、ドライバ６０に、ｅペーパーに書き込む内容に関する信号を送るように構成される。また、ディスプレイシステムが備えるコマンドモジュールが通信モジュールに信号を送るように構成されており、この信号は、ドライバがｅペーパーに書き込むために１または複数の最新情報を与える。
５）通信プロトコルは、小売店のインフラに応じて変えることができる。多様な通信技術もまた、単一のＰＯＰｅｄｇｅ装置で可能となる。
６）種々の電源１００がＰＯＰｅｄｇｅに電力を供給するために利用することができる。 電源は、ドライバ、ディスプレイ、および／または棚に配置することができる。利用できる電源１００の例としては、限定するものではないが、以下のものが含まれる。
ａ）エネルギーハーベスティング装置
ｉ．ソーラーパネル
ｉｉ．ＲＦパワーハーベスティング装置
ｉｉｉ．運動エネルギーハーベスティング
ｂ）ディスプレイ上の交換可能な電池および／または充電式電池
ｃ）商用電源
【００２０】
図２は、ローラ接触要素２０をｅペーパーとともに使用し、一方、ローラ接触要素がｅペーパーと接触している、実施形態を示し、ｅペーパーは、保護層２６、マイクロカプセル１４、導電領域（または電極領域）２２、および導電層（または電極）２４を有する。図３は米国特許第６，２２２，５１３号に記載された電荷保持アイランド３０を示し、図４は米国特許第６，２２２，５１３号に記載された代替の電荷保持アイランド４０を示す。
【００２１】
図５は、本発明の実施形態による４８インチ×１．７５インチのＰＯＰｅｄｇｅディスプレイ、およびその一部を拡大したものを示す。ディスプレイは、価格とともに製品についての任意のプロモーション情報、広告、または追加の情報を表示する。
【００２２】
図６は、棚取付具／ディスプレイ保持具６２、ｅペーパーディスプレイ５０、およびドライバ６０の配置を示す。
【００２３】
この実施形態では、図７に示すように、ドライバ６０はｅペーパー５０を取り囲んでいる。代替の実施形態では、ドライバはｅペーパー５０を取り囲む必要はない（例えば、ディスプレイに透明な前面を使用し、ドライバが、良好に接触するために必要な力をかけるようにディスプレイと結合することができる）。ディスプレイ５０は十分な可撓性があって、十分な時間の間、導電要素と前面板との間で十分に接触して、好ましくは完全に接触して、電荷移動を、好ましくはいつでも、行うことができる。ドライバ６０に取り付けられたドライバの車輪７０によって、ドライバはディスプレイを押しのけることによってｅペーパー５０の端から端まで動くことができる。代替の実施形態では、ドライバの車輪はｅペーパーを押しのけて、またはディスプレイの背面を押しのけて、その結果、車輪を押すディスプレイの背面には、車輪との良好な摩擦が生じ、ｅペーパーとドライバとの間を接触させる力が生じる。代替の実施形態は、ディスプレイに沿って動き、ドライバを取り付けることができる機構をディスプレイを有することができる。前の装置での最大の問題の１つは、導電要素を摩耗させる導電要素とｅペーパーとの間の摩擦である。一体化した環状体を組み入れる本装置の実施形態は、ドライバの導電要素とｅペーパーの導電要素との間の圧力を最適なレベルに維持し、その結果、摩擦によって導電体が早期に摩耗することなく、適切に電気的に接続される。
【００２４】
ドライバに取り付けられたワイパ８０は、図８に示すように、ドライバ６０のフロントパネルを支持して一体化することができる。ワイパは金属で作ることができ、または金属よりなる部分を有する非導電材料から作ることができ、上下に動きピクセルの情報を消去するために使用される。ワイパ８０は両側に配置することができ、その結果、ドライバ６０は、どちらかの側から動いている間にｅペーパー５０を更新する。あるいは、単一のワイパを使用することができる。ワイパ８０はまたｅペーパー上のいかなるほこりをも掃きとって、ドライバ６０とｅペーパー５０との間の接触をより良くする。支持ワイパ８０は、ｅペーパー５０を、板とドライバ６０の第２の部分との間に保持するように支持することができる。このようにして、ｅペーパーの可撓性により接触を損ないかねないしわの領域をのばすことができる。
【００２５】
電荷をｅペーパー（ｅペーパーの導電領域２２）に移動する導電要素は様々な形状にすることができる。１つの実施形態では、接触要素は、図９および図１０に示すように、順番に配置された導電材料と非導電材料で覆われたローラとすることができる。ローラは、円筒形に切られたゼブラストライプ９０、または導電性と非導電性の領域９２を有して、シリンダを覆って巻かれたフィルムから作ることができ、あるいは、導電性と非導電性の材料を互いの上に重ねて、円筒状のカッタで切り抜いたもの、または非導電要素９６で分離された、一緒に並べられた小さなビーズ９４で作ることができる。各導電片または導電領域は、ドライバ内のプリント回路基板に取り付けられた（または接触した）トランジスタまたはドライバＩＣによって制御することができる。接触要素によって必要な電荷を移動させるために、プリント回路基板に代わるものが使用することができる。ローラには種々のパターンが選べるが、図９の左のパターン９０が実施しやすい。ローラの代わりに、当該技術で知られた掃引するコンポーネントを使用することができる。
【００２６】
２つの導電板１０２および１０４は、図１１に示すように、前面板に埋め込むことができる、または相互接続することができる。これらの板はドライバに電力を供給することができる。ドライバは、棚、ディスプレイの側面、または他の都合のよい場所にある電源１００から電力を得ることができる。電源をドライバ以外の場所に配置すると、ドライバの重量を低減し、エネルギー効率およびドライバの速度を増大することができる。電力消費および必要な電力のタイプに応じて、電源をドライバに搭載することができる。例として、パワーハーベスティング装置を使用する場合には、必要な電源ユニットは非常に小さくすることができて、電源ユニットをドライバに配置することができる。
【００２７】
保持具１６０は、ドライバをｅペーパーの方へ押すように圧力を加えることができる発泡体１１０などの弾力性のある材料で支持することができる。図１２に示すように、発泡体はドライバと接触する部分に薄いプラスチック層１１２などを被覆して、ドライバが発泡体に沿って滑るときの摩擦力を低減することができる。発泡体１１０はｅペーパーを前方側へ押して、ｅペーパーが内側に浮くことを防止することによって、棚の上に整列して見栄えを良くする。発泡体１１０は非常に撓みやすいので、図１３に示すように、ドライバ６０が動くときには、ドライバ６０は発泡体１１０を押し戻し、空洞を生成して動きやすくなる。
【００２８】
図１６は、プリント回路基板１５０へのドライバ６０の接続を示す。プリント回路基板の導電部品、例えばパッドはそれぞれ、コントローラユニットによって帯電される（例えば、トランジスタによって帯電される、またはマイクロチップによって直接帯電される）。円筒状の接触要素、すなわちローラ２０は、プリント回路基板１５０に電線でつながっていない。その代わりに、ローラの導電要素１５４はプリント回路基板の導電パッド１５２に接触し、同時に導電要素がｅペーパー側に接触することによって、電流（または、電荷）をｅペーパーの導電領域に移動する。図１７はあるパターンのｅペーパーの導電領域を示すが、この領域はランダムに配置することができ、あるいは任意の所望のパターンまたは設計で配置することができる。このように、ローラ２０は受動的な要素であり、ｅペーパー５０とローラ２０との間の摩擦、および／またはローラ２０とプリント回路基板１５０との間の摩擦によって生じた損傷などにより、必要ならば容易に交換することができる。
【００２９】
別の実施形態では、図１７に示すように、ローラ２０はローラ内部にドライバＩＣを搭載することができ、ローラは駆動構成部品に電線でつなぐことができる。
【００３０】
図１８は、米国特許出願公開第２０１３０１６２５１１号に記載されたパッシブマトリックス駆動方法を使用するｅペーパー技術の別のタイプを示す。米国特許出願公開第２０１３０１６２５１１号に記載されたように、ｅペーパーのインク層は、列の電極を有する上部と行の電極を有する下部でカプセル化され、その結果、行の電極と列の電極とが交差する領域はこのディスプレイのピクセルを形成する。本発明の実施形態は、米国特許出願公開第２０１３０１６２５１１号で教示され、図１８に示すような電極構造を利用することができる。図１９は、図１８の電極構造を使用する１つの実施形態を示し、ここでは、ローラ要素は一方の側の縁の上を動き、動くにつれて電極に帯電する。ｅペーパーに接触するローラの表面は、図９のようないかなるパターンも有する必要はなく、その代わりに、表面全体または表面の一部が導電材料よりなっていてもよく、またはローラ自体（円筒状または球形）が導電材料よりなっていてもよい。このドライバは、移動方向が電極に対して垂直である限り、ｅペーパーのどちらか一方の側の縁に沿って動くことができる。ドライバが移動して、電極を帯電するまたは接地するとき、他の層の電極は同じ電圧で帯電されて交差領域（言い換えれば、このディスプレイのピクセル）の色を同じに保持するか、または、異なる電圧で、交差領域の色を変える。
【００３１】
ローラ要素の駆動などの本発明の態様は、コンピュータによって実行されるプログラムモジュールなどのコンピュータ実行可能命令の一般的なコンテキストで記述することができる。一般的に、プログラムモジュールは、特定のタスクを実行する、または特定の抽象データタイプを実装するルーチン、プログラム、オブジェクト、コンポーネント、データ構造などを含む。さらに、マルチプロセッサシステム、マイクロプロセッサベース電子機器またはプログラマブルコンシューマ電子機器、ミニコンピュータ、メインフレームコンピュータなどを含む様々なコンピュータシステム構成で本発明を実施することができることが当業者には理解されよう。任意の数のコンピュータシステムおよびコンピュータネットワークを本発明とともに使用するのは許容される。
【００３２】
本発明を完全に理解するために、特定のハードウェアデバイス、プログラミング言語、コンポーネント、プロセス、プロトコル、および動作環境などを含む多数の細部が説明される。他の例では、本発明を不明瞭にするのを避けるために、構造、デバイス、およびプロセスが、詳細にではなくブロック図の形態で示される。しかし、本発明がこれらの特定の詳細なしで実施することができることは当業者には理解されよう。コンピュータシステム、サーバ、ワークステーション、および他の機械は、例えば１つまたは複数のネットワークを含む通信媒体を通して互いに接続することができる。
【００３３】
当業者には理解されるように、本発明の実施形態は、とりわけ、方法、システム、またはコンピュータプログラム製品として具体化することができる。したがって、これらの実施形態は、ハードウェア実施形態、ソフトウェア実施形態、またはソフトウェアとハードウェアを組み合わせた実施形態の形態をとることができる。ある実施形態では、本発明は、１つまたは複数のコンピュータ読取可能な媒体上に具体化されたコンピュータ使用可能な命令を含むコンピュータプログラム製品の形態をとる。
【００３４】
コンピュータ読取可能な媒体としては、揮発性および不揮発性媒体、リムーバブルおよび非リムーバブル媒体の双方が挙げられ、また、データベース、スイッチ、および様々な他のネットワークデバイスによって読取可能な媒体が考えられる。一例として、限定するものではないが、コンピュータ読取可能な媒体は、情報を記憶するための任意の方法または技術で実施される媒体を含む。記憶される情報の例には、コンピュータ使用可能な命令、データ構造、プログラムモジュール、および他のデータ表現が含まれる。媒体の例には、限定するものではないが、情報伝達媒体、ＲＡＭ、ＲＯＭ、ＥＥＰＲＯＭ、フラッシュメモリ、または他のメモリ技術、ＣＤ−ＲＯＭ、デジタル多用途ディスク（ＤＶＤ：ｄｉｇｉｔａｌ  ｖｅｒｓａｔｉｌｅ  ｄｉｓｃ）、ホログラム媒体または他の光ディスク記憶装置、磁気カセット、磁気テープ、磁気ディスク記憶装置、および他の磁気記憶装置が含まれる。これらの技術は、瞬間的、一時的、または永続的にデータを記憶することができる。
【００３５】
本発明は、通信ネットワークを通してリンクされるリモート処理装置によってタスクが実施される、分散コンピューティング環境において実行することができる。分散コンピューティング環境では、プログラムモジュールは、メモリ記憶装置を含むローカルおよびリモートの両方のコンピュータ記憶媒体に配置することができる。コンピュータ使用可能な命令は、コンピュータが入力源に従って反応することができるようにインタフェースを形成する。これらの命令は、他のコードセグメントと協働して、受け取ったデータに応答して、受け取ったデータ源とともに様々なタスクを開始する。
【００３６】
本発明は、通信ネットワークなどのネットワーク環境内で実施することができる。このようなネットワークは、ルータ、サーバ、およびゲートウェイなどの様々なタイプのネットワーク要素を接続するために広く使用される。さらに、本発明は、様々な接続されたパブリックネットワークおよび／またはプライベートネットワークを有するマルチネットワーク環境内で実施することができる。
【００３７】
ネットワーク要素間の通信は無線または有線とすることができる。当業者には理解されるように、通信ネットワークは、いくつかの異なる形態をとることができ、いくつかの異なる通信プロトコルを用いることができる。また、本発明は、本明細書で説明される形態および通信プロトコルによって限定されるものではない。
【００３８】
本明細書で参照または引用するすべての特許、特許出願、仮出願、および公開文献の全体を、すべての図および表を含めて、これらが本明細書の明示的な教示と整合しない場合でない限り、本明細書に援用する。
【００３９】
本明細書で説明した例および実施形態は、単に例示を目的とするものであり、様々な修正または変更が、これらの例および実施形態を考慮して当業者に想起されるが、これらは本出願の精神および範囲に含まれることを理解されたい。
【図１】
0006480412.tif 000002
【図２】
0006480412.tif 000003
【図３】
0006480412.tif 000004
【図４】
0006480412.tif 000005
【図５】
0006480412.tif 000006
【図６】
0006480412.tif 000007
【図７】
0006480412.tif 000008
【図８】
0006480412.tif 000009
【図９】
0006480412.tif 000010
【図１０】
0006480412.tif 000011
【図１１】
0006480412.tif 000012
【図１２】
0006480412.tif 000013
【図１３】
0006480412.tif 000014
【図１４】
0006480412.tif 000015
【図１５】
0006480412.tif 000016
【図１６】
0006480412.tif 000017
【図１７】
0006480412.tif 000018
【図１８】
0006480412.tif 000019
【図１９】
0006480412.tif 000020